(57)【要約】【課題】オンデマンドに対応していない車載ラジオをオンデマンド対応ラジオとして機能させる。【解決手段】コンテンツ提供サーバ２６と車載テレマティクス装置１６が通信で接続される。コンテンツ提供サーバ２６は、車両からオンデマンドラジオのコンテンツ要求に応答して、コンテンツ要求に対応するコンテンツデータを送出する。車載テレマティクス装置１６は、コンテンツデータを受信して、コンテンツデータからラジオ用信号を生成し、車載ラジオへ送る。ラジオ用信号は典型的にはＦＭ電波であり、ＦＭトランスミッタ３４により送出される。音声要求受付サーバ２４は、車載通信機である携帯電話２０との音声での通信を通じてコンテンツ要求を受け付けて、コンテンツ提供サーバ２６に提供する。【選択図】　図１
2004045890.tif 000002
【特許請求の範囲】
【請求項１】
コンテンツ提供サーバと、
車両に搭載され、前記コンテンツ提供サーバと通信で接続される車載テレマティクス装置と、
を含み、
前記コンテンツ提供サーバは、車両からオンデマンドラジオのコンテンツ要求に応答して、コンテンツ要求に対応するコンテンツデータを送出し、
前記車載テレマティクス装置は、前記コンテンツ提供サーバから前記コンテンツ要求に対応するコンテンツデータを受信して、コンテンツデータからラジオ用信号を生成し、車載ラジオへ送ることを特徴とする車両オンデマンドラジオシステム。
【請求項２】
請求項１に記載の車両オンデマンドラジオシステムにおいて、
車載通信機との音声での通信を通じて前記コンテンツ要求を受け付けて、前記コンテンツ提供サーバに提供する音声要求受付サーバを含むことを特徴とする車両オンデマンドラジオシステム。
【請求項３】
車両に搭載され、コンテンツ提供サーバと通信で接続される車載テレマティクス装置であって、
車両からのオンデマンドラジオのコンテンツ要求に応答して前記コンテンツ提供サーバから送出されるコンテンツデータを受信する手段と、
前記コンテンツ提供サーバから受信したコンテンツデータからラジオ用信号を生成し、車載ラジオに送る手段と、
を含み、前記車載ラジオをオンデマンドラジオとして機能させることを特徴とする車載テレマティクス装置。
【請求項４】
コンテンツ提供サーバと通信で接続される車載コンピュータ装置を用いたコンテンツ提供方法であって、
車両からのオンデマンドラジオのコンテンツ要求に応答して前記コンテンツ提供サーバから送出されるコンテンツデータを受信するステップと、
前記コンテンツ提供サーバから受信したコンテンツデータからラジオ用信号を生成し、車載ラジオに送るステップと、
を含み、前記車載ラジオをオンデマンド対応ラジオとして機能させることを特徴とするコンテンツ提供方法。
【請求項５】
コンテンツ提供サーバと通信で接続される車載コンピュータ装置で実行可能なプログラムであって、
車両からのオンデマンドラジオのコンテンツ要求に応答して前記コンテンツ提供サーバから送出されるコンテンツデータを受信するステップと、
前記コンテンツ提供サーバから受信したコンテンツデータからラジオ用信号を生成し、車載ラジオに送るステップと、
を前記車載コンピュータ装置に実行させ、前記車載ラジオをオンデマンド対応ラジオとして機能させることを特徴とするプログラム。
【請求項６】
請求項１に記載のプログラムを格納した、コンピュータにて読取可能な記録媒体。
【請求項７】
コンテンツ提供サーバと、車両に搭載され、前記コンテンツ提供サーバと通信で接続される車載テレマティクス装置と、
を含み、
前記コンテンツ提供サーバは、車両からオンデマンド放送のコンテンツ要求に応答して、コンテンツ要求に対応するコンテンツデータを送出し、
前記車載テレマティクス装置は、前記コンテンツ提供サーバから前記コンテンツ要求に対応するコンテンツデータを受信して、コンテンツデータから車載放送出力装置用の信号を生成し、車載放送出力装置に送ることを特徴とする車両オンデマンド放送システム。
【発明の詳細な説明】
【０００１】
【発明の属する技術分野】
本発明は、オンデマンドラジオシステムに関し、特に、車両でオンデマンドラジオ放送を提供するためのシステムに関する。
【０００２】
【従来の技術】
ブロードバンド通信技術の進展に伴い、オンデマンド放送に対する関心が高まっている。オンデマンド放送では、周知のように、コンテンツ要求が個々のユーザから受け付けられ、各々のコンテンツ要求に応えてコンテンツが提供される。これにより、個々のユーザの要求に応えることが可能となる。
【０００３】
一方、車両関連の通信技術としては、ＩＴＳ（Ｉｎｔｅｌｌｉｇｅｎｔ　Ｔｒａｎｓｐｏｒｔ　Ｓｙｓｔｅｍｓ）の一環であるテレマティクス技術が注目を集めている。テレマティクス技術では、周知のように、車両などの移動体に情報が通信で提供される。
【０００４】
【発明が解決しようとする課題】
こうした背景の下、テレマティクス技術を用いて、車両でもオンデマンドのラジオ放送を提供することが考えられる。そのためには、オンデマンド放送受信機を車両に搭載すればよい。
【０００５】
しかし、現在使われている大多数の車両には、オンデマンド放送に対応していない車載ラジオが既に搭載されている。この点を考慮すると、既存の車載ラジオでオンデマンド放送を提供可能にすることが望ましい。これにより、既存の車載ラジオを使い続けつつ、車両でオンデマンド放送を利用できる。
【０００６】
本発明は、上記課題に鑑みてなされたものであり、その目的は、オンデマンドに対応していない車載ラジオをオンデマンド対応ラジオとして機能させることが可能なシステムを提供することにある。
【０００７】
また、本発明のさらなる目的は、上記システムでのユーザの手動操作を削減して、ユーザが運転中も容易にオンデマンド放送を受信可能にすることにある。
【０００８】
【課題を解決するための手段】
本発明の車両オンデマンドラジオシステムは、コンテンツ提供サーバと、車両に搭載され、前記コンテンツ提供サーバと通信で接続される車載テレマティクス装置と、を含み、前記コンテンツ提供サーバは、車両からオンデマンドラジオのコンテンツ要求に応答して、コンテンツ要求に対応するコンテンツデータを送出し、前記車載テレマティクス装置は、前記コンテンツ提供サーバから前記コンテンツ要求に対応するコンテンツデータを受信して、コンテンツデータからラジオ用信号を生成し、車載ラジオへ送る。
【０００９】
上記のように、本発明によれば、車載テレマティクス装置がオンデマンドラジオのコンテンツを受信し、受信したコンテンツに対応するラジオ用信号を生成して、ラジオ用信号を車載ラジオに送るので、車載ラジオを使ってオンデマンドラジオのコンテンツをユーザに提供できる。
【００１０】
なお、本発明において、車載ラジオは、ラジオ専用装置である必要はない。例えば、カーステレオも車載ラジオに含まれる。また、ナビゲーション装置も、本発明では車載ラジオに含まれてよい。
【００１１】
また、本発明の車載オンデマンドラジオシステムは、車載通信機との音声での通信を通じて前記コンテンツ要求を受け付けて、前記コンテンツ提供サーバに提供する音声要求受付サーバを含む。本発明によれば、ユーザからコンテンツ要求を音声で受け付けられるので、ユーザの手動操作を削減でき、したがって、ユーザが運転中も容易にオンデマンド放送を受信可能になる。
【００１２】
また、本発明の別の態様は、車両に搭載され、コンテンツ提供サーバと通信で接続される車載テレマティクス装置であり、この装置は、車両からのオンデマンドラジオのコンテンツ要求に応答して前記コンテンツ提供サーバから送出されるコンテンツデータを受信する手段と、前記コンテンツ提供サーバから受信したコンテンツデータからラジオ用信号を生成し、車載ラジオに送る手段と、を含み、前記車載ラジオをオンデマンドラジオとして機能させる。この態様によっても上記の本発明の利点が得られる。
【００１３】
また、本発明の別の態様は、コンテンツ提供サーバと通信で接続される車載コンピュータ装置を用いたコンテンツ提供方法であって、この方法は、車両からのオンデマンドラジオのコンテンツ要求に応答して前記コンテンツ提供サーバから送出されるコンテンツデータを受信するステップと、前記コンテンツ提供サーバから受信したコンテンツデータからラジオ用信号を生成し、車載ラジオに送るステップと、を含み、前記車載ラジオをオンデマンド対応ラジオとして機能させる。この態様によっても上記の本発明の利点が得られる。
【００１４】
また、本発明の別の態様は、コンテンツ提供サーバと通信で接続される車載コンピュータ装置で実行可能なプログラムであって、このプログラムは、車両からのオンデマンドラジオのコンテンツ要求に応答して前記コンテンツ提供サーバから送出されるコンテンツデータを受信するステップと、前記コンテンツ提供サーバから受信したコンテンツデータからラジオ用信号を生成し、車載ラジオに送るステップと、を前記車載コンピュータ装置に実行させ、前記車載ラジオをオンデマンド対応ラジオとして機能させる。この態様によっても上記の本発明の利点が得られる。
【００１５】
また、本発明の別の態様は、上記のプログラムを格納した、コンピュータにて読取可能な記録媒体である。
【００１６】
また、本発明の別の態様は、車両オンデマンド放送システムであり、このシステムは、コンテンツ提供サーバと、車両に搭載され、前記コンテンツ提供サーバと通信で接続される車載テレマティクス装置と、を含み、前記コンテンツ提供サーバは、車両からオンデマンド放送のコンテンツ要求に応答して、コンテンツ要求に対応するコンテンツデータを送出し、前記車載テレマティクス装置は、前記コンテンツ提供サーバから前記コンテンツ要求に対応するコンテンツデータを受信して、コンテンツデータから車載放送出力装置用の信号を生成し、車載放送出力装置に送る。この態様では、オンデマンド放送がラジオに限定されない。オンデマンド放送は、例えば、映画、テレビ等でもよい。
【００１７】
【発明の実施の形態】
以下、本発明の好適な実施の形態について、図面を参照して説明する。
【００１８】
図１は、本実施の形態のオンデマンドラジオシステム１０を示している。図示のように、車両１２には、ハンズフリーセット１４、車載テレマティクス装置１６およびカーラジオ１８が搭載され、ハンズフリーセット１４には携帯電話２０が装着される。一方、テレマティクスセンタ２２には、音声要求受付サーバ２４およびコンテンツ提供サーバ２６が備えられている。図示されないが、多数の車両が同様の構成を有し、テレマティクスセンタ２２のサービスを受ける。
【００１９】
ハンズフリーセット１４は、通常のハンズフリーでの通話のための機能に加えて、テレマティクスセンタ２２へ自動的に電話をかける機能をもっている。すなわち、ハンズフリーセット１４は、音声認識機能を有しており、ユーザが発する所定の音声命令を認識する。この音声命令を認識すると、ハンズフリーセット１４は、装着された携帯電話２０を制御し、予め登録された電話番号に電話をかける。これにより、携帯電話２０はテレマティクスセンタ２２と接続される。携帯電話２０は、インターネット（図示せず）を介してテレマティクスセンタ２２と接続されてもよい。
【００２０】
テレマティクスセンタ２２の音声要求受付サーバ２４は、携帯電話２０と電話するための電話機能を有し、さらに音声認識機能と音声合成機能を有し、これらの機能により、携帯電話２０との音声での通信を通じてコンテンツ要求を受け付ける。すなわち、音声要求受付サーバ２４と携帯電話２０およびハンズフリーセット１４を設けたことにより、音声応答によるリクエストが行われる。
【００２１】
コンテンツ要求の受付け処理において、音声要求受付サーバ２４は、音声合成機能を用いて音声案内メッセージを生成し、携帯電話２０に送る。音声案内メッセージが携帯電話２０から出力されると、ユーザが音声で返事をする。ユーザの音声が携帯電話２０から音声要求受付サーバ２４に送られ、音声認識機能により認識される。この繰り返しにより、音声要求受付サーバ２４は、コンテンツ要求、すなわち、どのようなコンテンツの提供をユーザが望んでいるかの要求を受け付ける。音声要求受付サーバ２４は、コンテンツ提供サーバ２６と接続されており、受け付けたコンテンツ要求をコンテンツ提供サーバ２６に送る。
【００２２】
コンテンツ提供サーバ２６はコンテンツデータベースを有しており、コンテンツデータベースは、オンデマンドラジオの多様なコンテンツを記憶している。コンテンツ提供サーバ２６は、車両１２の車載テレマティクス装置１６とのデジタル通信機能を有する。そして、コンテンツ提供サーバ２６は、コンテンツ要求に対応するコンテンツデータをコンテンツデータベースから読み出して、車載テレマティクス装置１６に送信する。これによりコンテンツデータのダウンロードが行われる。
【００２３】
本実施の形態では、コンテンツが音楽の場合、コンテンツデータはＭＰ３データまたはＭＩＤＩデータである。また、コンテンツがニュースの場合、コンテンツデータはテキストデータである。
【００２４】
車載テレマティクス装置１６は、コンピュータ装置であり、図示のように、通信モジュール２８、ハードディスク３０、制御部３２およびＦＭトランスミッタ３４を有する。
【００２５】
通信モジュール２８は、コンテンツ提供サーバ２６と通信するために設けられており、コンテンツ提供サーバ２６からコンテンツデータを受信する。ハードディスク３０は、通信モジュール２８から受信したコンテンツデータを記憶する。
【００２６】
制御部３２は、車載テレマティクス装置１６の全体を制御する機能とともに、コンテンツを提供するための各種の信号処理機能をもつ。制御部３２は、コンテンツのＭＰ３データを復号して音楽信号を生成する機能をもち、また、コンテンツのＭＩＤＩデータから音楽信号を生成する機能をもち、さらに、コンテンツのテキストデータを合成音声信号に変化するための音声合成機能をもつ。これらの信号処理機能は、ＭＰ３復号用のチップ、ＭＩＤＩ信号処理用のチップ等のハードウエアで構成されてもよい。また、これらの信号処理機能は、制御部３２のＣＰＵのソフトウエア処理によって実現されてもよい。
【００２７】
ＦＭトランスミッタ３４は、コンテンツの音楽信号および合成音声信号を制御部３２から受け取り、受け取った信号に対応するＦＭ電波を送出する。このＦＭ電波は、本発明のラジオ用信号の一つに相当する。
【００２８】
また、車両１２のカーラジオ１８は、従来から一般に使われている車両用のラジオである。
【００２９】
次に、本実施の形態のオンデマンドラジオシステムの動作を説明する。ユーザは、オンデマンドラジオ放送を聴きたいとき、ハンズフリーセット１４に設けられた所定のボタンを押し、それから所定の音声命令を発する。ハンズフリーセット１４は、音声命令を認識して、携帯電話２０を制御し、予め登録された電話番号へと携帯電話２０に電話をかけさせる。これにより、携帯電話２０がテレマティクスセンタ２２とつながれ、携帯電話２０と音声要求受付サーバ２４が通話可能になる。そして、音声要求受付サーバ２４は、携帯電話２０を介してユーザから音声でコンテンツ要求を受け付ける。
【００３０】
図２は、音声要求受付サーバ２４によるコンテンツ要求の受付処理を示している。携帯電話２０からの着信が発生すると、音声要求受付サーバ２４は、サービス選択案内の音声メッセージを合成し、携帯電話２０に送る（Ｓ１０）。本実施の形態の例では、「音楽番組」「音楽リクエスト」および「ニュース」が選択肢として伝えられ、ユーザに選択が促される。ユーザがサービスの一つを選択して、そのサービス名を話すと、サービス名が携帯電話２０から音声要求受付サーバ２４に送られる。音声要求受付サーバ２４はユーザの音声を受け付けて、音声認識処理を行い、選択されたサービス名を特定する。
【００３１】
以下の処理においても、案内処理では、ユーザに発声を促す音声メッセージが合成され、携帯電話２０へ送られる。また、受付処理では、案内に応答するユーザの音声が携帯電話２０から受信され、音声認識処理が行われ、ユーザが何を話したかが特定される。
【００３２】
Ｓ１２で「音楽番組」が受け付けられたとき、音声要求受付サーバ２４は、番組選択案内を携帯電話２０に送り（Ｓ１４）、番組の選択を携帯電話２０から受け付ける（Ｓ１６）。そして、音声要求受付サーバ２４は、番組確認案内を携帯電話２０に送り（Ｓ１８）、番組確認を携帯電話２０から受け付ける（Ｓ２０）。確認結果が判定され（Ｓ２２）、確認結果がＯＫでなければ（Ｓ２２、ＮＯ）、Ｓ１４に戻る。確認結果がＯＫであれば（Ｓ２２、ＹＥＳ）、Ｓ２４に進む。そして、音声要求受付サーバ２４は、ユーザが選択した番組名をコンテンツ要求としてコンテンツ提供サーバ２６に送る。
【００３３】
例えば、Ｓ１４では、複数の番組名が紹介され、それら番組の一つの選択が促される。番組名「ＡＢＣＤ」が受け付けられると（Ｓ１６）、「”ＡＢＣＤ”でよいですか？」という音声メッセージが提供される（Ｓ１８）。そして、「いいえ」という音声が受け付けられると（Ｓ２０）、確認結果がＯＫでないので（Ｓ２２、ＮＯ）、Ｓ１４に戻る。一方、「はい」という音声が受け付けられると（Ｓ２０）、確認結果がＯＫなので（Ｓ２２、ＹＥＳ）、番組名「ＡＢＣＤ」がコンテンツ要求としてコンテンツ提供サーバ２６に伝えられる。
【００３４】
一方、Ｓ１２で「音楽リクエスト」が受け付けられたとき、音声要求受付サーバ２４は、ジャンル選択案内を携帯電話２０に送り（Ｓ２６）、ジャンルの選択を携帯電話２０から受け付ける（Ｓ２８）。さらに、音声要求受付サーバ２４は、曲名案内を携帯電話２０に送り（Ｓ３０）、曲名の選択を携帯電話２０から受け付ける（Ｓ３２）。そして、音声要求受付サーバ２４は、曲名確認案内を携帯電話２０に送り（Ｓ３４）、曲名確認を携帯電話２０から受け付ける（Ｓ３６）。確認結果が判定され（Ｓ３８）、確認結果がＯＫでなければ（Ｓ３８、ＮＯ）、Ｓ３０に戻る。確認結果がＯＫであれば（Ｓ３８、ＹＥＳ）、Ｓ４０に進む。そして、音声要求受付サーバ２４は、ユーザが選択した曲名をコンテンツ要求としてコンテンツ提供サーバ２６に送る。
【００３５】
例えば、Ｓ２６では、複数のジャンルが紹介され、それら番組の一つの選択が促される。ジャンル：ＢＧＭが受け付けられると（Ｓ２８）、ジャンル：ＢＧＭに属する複数の曲名が紹介され、それらの一つの選択が促される（Ｓ３０）。曲名「ＥＦＧＨ」が受け付けられると（Ｓ３２）、「”ＥＦＧＨ”でよいですか？」という音声メッセージが提供される（Ｓ３４）。そして、「いいえ」という音声が受け付けられると（Ｓ３６）、確認結果がＯＫでないので（Ｓ３８、ＮＯ）、Ｓ３０に戻る。一方、「はい」という音声が受け付けられると（Ｓ３６）、確認結果がＯＫなので（Ｓ３８、ＹＥＳ）、曲名「ＥＦＧＨ」がコンテンツ要求としてコンテンツ提供サーバ２６に伝えられる。
【００３６】
また、Ｓ１２で「ニュース」が受け付けられたとき、音声要求受付サーバ２４は、ジャンル選択案内を携帯電話２０に送り（Ｓ４２）、ジャンルの選択を携帯電話２０から受け付ける（Ｓ４４）。そして、音声要求受付サーバ２４は、ジャンル確認案内を携帯電話２０に送り（Ｓ４６）、ジャンル確認を携帯電話２０から受け付ける（Ｓ４８）。確認結果が判定され（Ｓ５０）、確認結果がＯＫでなければ（Ｓ５０、ＮＯ）、Ｓ４２に戻る。確認結果がＯＫであれば（Ｓ５０、ＹＥＳ）、Ｓ５２に進む。そして、音声要求受付サーバ２４は、ユーザが選択したジャンル名をコンテンツ要求としてコンテンツ提供サーバ２６に送る。
【００３７】
例えば、Ｓ４２では、複数のニュースジャンル名が紹介され、それら番組の一つの選択が促される。ジャンル名「ＪＫＬＭ」が受け付けられると（Ｓ４４）、「”ＪＫＬＭ”でよいですか？」という音声メッセージが提供される（Ｓ４６）。そして、「いいえ」という音声が受け付けられると（Ｓ４８）、確認結果がＯＫでないので（Ｓ５０、ＮＯ）、Ｓ４２に戻る。一方、「はい」という音声が受け付けられると（Ｓ４８）、確認結果がＯＫなので（Ｓ５０、ＹＥＳ）、ジャンル名「ＪＫＬＭ」がコンテンツ要求としてコンテンツ提供サーバ２６に伝えられる。
【００３８】
図１に戻り、コンテンツ提供サーバ２６は、音声要求受付サーバ２４から受け付けたコンテンツ要求に対応するコンテンツデータをデータベースから読み出し、車載テレマティクス装置１６へ向けてデジタル通信により送信する。前述したように、コンテンツが音楽の場合にはＭＰ３データまたはＭＩＤＩデータが送られ、コンテンツがニュースの場合にはテキストデータが送られる。
【００３９】
車載テレマティクス装置１６では、通信モジュール２８がコンテンツデータを受信する。コンテンツデータはハードディスク３０に格納されるとともに、制御部３２で処理される。制御部３２は、コンテンツデータを、カーラジオ１８に送るための信号に変換する。制御部３２は、コンテンツのＭＰ３データを復号し、また、コンテンツのＭＩＤＩデータから音楽信号を生成する。また、制御部３２は、音声合成処理によって、コンテンツのテキストデータを合成音声信号に変換する。
【００４０】
生成された信号は、ＦＭトランスミッタ３４に提供される。ＦＭトランスミッタ３４は、制御部３２から受け取ったコンテンツの信号に応じたＦＭ電波を送出する。ＦＭ電波がカーラジオ１８に受信される。カーラジオ１８は、ＦＭ電波を処理して音信号をスピーカから出力する。これにより、コンテンツ要求に対応するコンテンツが再生され、ユーザへと提供される。
【００４１】
以上に本発明の好適な実施の形態のオンデマンドラジオシステムを説明した。本実施の形態によれば、既存の車載ラジオを使ってオンデマンドラジオ放送を車両で提供可能である。
【００４２】
本実施の形態では、携帯電話２０がコンテンツ要求の通信手段として用いられた。しかし、本発明はこれに限定されない。コンテンツ要求のための通信機能が車載テレマティクス装置１６に一体化されてもよい。ＶｏＩＰ（Ｖｏｉｃｅ　ｏｖｅｒ　Ｉｎｔｅｒｎｅｔ　Ｐｒｏｔｃｏｌ）の機能を車載テレマティクス装置１６に搭載することも好適である。
【００４３】
また、本実施の形態では、ニュースのコンテンツデータがテキストデータであり、テキストを読み上げる合成音声が車載テレマティクス装置１６で生成された。しかし、本発明はこれに限定されない。ニュースのコンテンツデータが音声データであってもよい。
【００４４】
また、本実施の形態は、上述にて例示された以外の各種のコンテンツ、サービスおよび情報を提供してよい。例えば、天気予報情報がオンデマンドラジオ放送により提供される。ここでもニュースと同様のテキストデータの読み上げ処理が行われてよい。
【００４５】
次に、本実施の形態のシステムのストリーミング放送機能について説明する。本システムは、上述のオンデマンド放送機能に加えて、以下のストリーミング放送機能をもつ。
【００４６】
ストリーミング放送では、コンテンツ提供サーバ２６から車載テレマティクス装置１６へストリーミングデータが提供される。ストリーミングデータは、例えば、複数の曲のデータである。ストリーミングデータは、例えば２０分番組に相当する１０ＭＢのデータといったような大量のデータでよい。コンテンツ提供サーバ２６は、予め決められた時間にプッシュ型の通信でストリーミングデータを車載テレマティクス装置１６に送信する。通信頻度を考慮すると夜間配信を行うことが適当である。特に、通信頻度の最も低い夜明けの時間帯、例えば４時から６時に配信を行うことが適当である。
【００４７】
ストリーミングデータは、車載テレマティクス装置１６の通信モジュール２８により受信され、ハードディスク３０に記憶される。図示されない車載テレマティクス装置１６の操作装置、例えばボタンをユーザが操作すると、制御部３２はハードディスク３０からストリーミングデータを読み出し、ストリーミングコンテンツをカーラジオ１８に送るために必要な信号処理をストリーミングデータに施す。例えばストリーミングデータがＭＰ３データの場合に、ＭＰ３データの復号処理が行われる。ストリーミングコンテンツの信号は、ＦＭトランスミッタ３４からＦＭ電波のかたちでカーラジオ１８に送られ、カーラジオ１８から出力される。
【００４８】
図３は、本発明の別の実施の形態を示している。以下の説明では、上述の実施の形態と共通する事項の説明を省略する。
【００４９】
図示のように、本実施の形態では、カーステレオ４０が車両１２に搭載される。カーステレオ４０は、音声用のＲＣＡ入力端子（図示せず）を備えている。また、車載テレマティクス装置１６は、音声用のＲＣＡ出力端子４２を備えている。ＲＣＡ出力端子４２は、音声用のＲＣＡケーブル４４でカーステレオ４０のＲＣＡ入力端子と接続される。
【００５０】
本実施の形態では、制御部３２は、コンテンツデータから、コンテンツのＲＣＡの信号を生成する。このＲＣＡの信号は本発明のラジオ用信号の一つに相当する。ＲＣＡの信号はＲＣＡケーブル４４を経由してカーステレオ４０に入力される。カーステレオ４０は、入力信号に基づき音信号をスピーカから出力する。これによりコンテンツが再生され、ユーザに提供される。
【００５１】
以上の説明から明らかなように、本実施の形態では、カーステレオ４０が車載ラジオに相当している。本実施の形態によっても、既存の車載ラジオを使ってオンデマンド放送を車両で適用可能である。
【００５２】
なお、図３に示されるように、本実施の形態では、車載テレマティクス装置１６がＲＣＡ出力端子４２と共にＦＭトランスミッタ３４を有している。カーステレオ４０は、上述のようにＲＣＡ入力端子からコンテンツを入手する他に、ＦＭ電波を受信してコンテンツを入手してもよい。この場合にはＲＣＡケーブル４４が接続されなくてよい。また、本実施の形態において、ＲＣＡ入力端子をもたないカーラジオが車両に搭載されているときは、ＦＭトランスミッタ３４のＦＭ電波がカーラジオに受信される。
【００５３】
また、車載テレマティクス装置と車載ラジオとの接続形態は、上述のＦＭ電波やＲＣＡに限られず、他の任意の無線通信（例えば、ブルートゥース、無線ＬＡＮであり、将来の通信技術を含む）および他の任意の有線通信（例えば、ＩＥＥＥ、ＵＳＢ、内部バスであり、将来の通信技術を含む）でもよい。これらの接続形態に対応するコンテンツの信号が、本発明のラジオ用信号として用いられる。車載ラジオは、上述のカーラジオ、カーステレオ以外に、下記のカーナビゲーション装置のようなコンピュータ機能をもつ装置でもよい。
【００５４】
図４は、本発明の別の実施の形態を示している。本実施の形態のシステムは、上述のオンデマンドラジオ放送に加えて、オンデマンド映画放送を提供する。以下の説明では、上述の実施の形態と共通する事項の説明を省略する。
【００５５】
図示のように、本実施の形態では、カーナビゲーション装置５０が車両１２に搭載される。カーナビゲーション装置５０は画面と、映像および音声用のＲＣＡ入力端子を備えている（図示せず）。また、車載テレマティクス装置１６は、映像および音声用のＲＣＡ出力端子５２を備えている。ＲＣＡ出力端子５２は、映像および音声用のＲＣＡケーブル５４でカーナビゲーション装置５０のＲＣＡ入力端子と接続される。
【００５６】
図５は、本実施の形態におけるコンテンツ要求の受付処理を示している。音声要求受付サーバ２４は、提供サービスを列挙するとき、前述の「音楽番組」「音楽リクエスト」および「ニュース」に加えて、「映画」を案内する（Ｓ１０）。Ｓ１２で「音楽番組」「音楽リクエスト」または「ニュース」が選択されたときは、上述の実施の形態と同様の処理が行われる。
【００５７】
Ｓ１２で「映画」が受け付けられたとき、音声要求受付サーバ２４は、タイトル選択案内を携帯電話２０に送り（Ｓ５４）、タイトルの選択を携帯電話２０から受け付ける（Ｓ５６）。そして、音声要求受付サーバ２４は、タイトル確認案内を携帯電話２０に送り（Ｓ５８）、タイトル確認を携帯電話２０から受け付ける（Ｓ６０）。確認結果が判定され（Ｓ６２）、確認結果がＯＫでなければ（Ｓ６２、ＮＯ）、Ｓ５４に戻る。確認結果がＯＫであれば（Ｓ６２、ＹＥＳ）、Ｓ６４に進む。そして、音声要求受付サーバ２４は、ユーザが選択したタイトルをコンテンツ要求としてコンテンツ提供サーバ２６に送る。
【００５８】
例えば、複数の映画のタイトルが紹介され、それらタイトルの一つの選択が促される（Ｓ５４）。タイトル「ＰＱＲＳ」が受け付けられると（Ｓ５６）、「”ＰＱＲＳ”でよいですか？」という音声メッセージが提供される（Ｓ５８）。そして、「いいえ」という音声が受け付けられると（Ｓ６０）、確認結果がＯＫでないので（Ｓ６２、ＮＯ）、Ｓ５４に戻る。一方、「はい」という音声が受け付けられると（Ｓ６０）、確認結果がＯＫなので（Ｓ６２、ＹＥＳ）、タイトル「ＰＱＲＳ」がコンテンツ要求としてコンテンツ提供サーバ２６に伝えられる。
【００５９】
コンテンツ提供サーバ２６および車載テレマティクス装置１６は、映画のタイトル以外のコンテンツ要求を受け取ったときは、上述の実施の形態と同様に動作する。したがって、コンテンツのＲＣＡ信号が車載テレマティクス装置１６で生成され、ＲＣＡケーブル５４を介してカーナビゲーション装置５０に送られ、出力される。このとき、カーナビゲーション装置５０は、オンデマンドラジオ放送を提供可能な車載ラジオとして機能している。
【００６０】
コンテンツ要求が映画のタイトルの場合、コンテンツ提供サーバ２６は、コンテンツデータベースから、該当する映画のコンテンツデータを読み出す。このコンテンツデータは画像と音を含んでおり、例えばＭＰＥＧデータである。映画のコンテンツデータは、コンテンツ提供サーバ２６から車載テレマティクス装置１６の通信モジュール２８に送信される。
【００６１】
映画のコンテンツデータは、ハードディスク３０に記憶されるとともに、制御部３２で復号され、ＲＣＡに対応するコンテンツの信号が生成される。コンピュータ用のＲＧＢデータは、ビデオ用のＮＴＳＣ信号へと変換される。コンテンツの信号は、ＲＣＡ出力端子５２から出力され、ＲＣＡケーブル５４を経由してカーナビゲーション装置５０へ送られる。そして、カーナビゲーション装置５０は、コンテンツを再生する。画像および音声はカーナビゲーション装置の画面およびスピーカから出力される。このとき、カーナビゲーション装置５０は、オンデマンド放送を出力する車載放送出力装置として機能している。
【００６２】
本実施の形態では、さらに、映画以外の放送でも、画像が提供されてよい。例えば、音楽放送の曲名と解説が画像で提供される。このデータも、映画の画像データと同様に、コンテンツ提供サーバ２６から車載テレマティクス装置１６に提供され、車載テレマティクス装置１６からカーナビゲーション装置５０に送られ、カーナビゲーション装置５０の画面上でユーザに提示される。上記の曲名のような情報は、テキストデータのかたちで車載テレマティクス装置１６に送られてもよい。
【００６３】
さらに、本実施の形態では、映画以外の画像放送が行われてもよい。例えば、テレビ放送が行われてもよい。
【００６４】
以上に説明したように、本実施の形態によれば、車載テレマティクス装置がオンデマンドラジオのコンテンツを受信し、受信したコンテンツに対応するラジオ用信号を生成して、ラジオ用信号を車載ラジオに送るので、車載ラジオを使ってオンデマンドラジオのコンテンツをユーザに提供できる。また、図４を用いて説明したように、本実施の形態によれば、ラジオ以外のオンデマンド放送も、オンデマンドに対応していない車載放送出力装置を使って提供可能になる。
【００６５】
また、本実施の形態によれば、音声要求受付サーバが設けられており、ユーザからコンテンツ要求が音声で受け付けられるので、ユーザの手動操作を削減でき、したがって、ユーザが運転中も容易にオンデマンド放送を受信可能になる。
【００６６】
【発明の効果】
以上より、本発明によれば、オンデマンドに対応していない車載ラジオをオンデマンド対応ラジオとして機能させることが可能になる。また、オンデマンドに対応していない車載放送出力装置でオンデマンド放送を提供可能になる。
【図面の簡単な説明】
【図１】本発明の実施の形態のシステムを示す図である。
【図２】図１のシステムによるコンテンツ要求の受付処理を示す図である。
【図３】本発明の別の実施の形態のシステムであって、ＲＣＡケーブルを利用するシステムを示す図である。
【図４】本発明の別の実施の形態のシステムであって、映像コンテンツも提供可能なシステムを示す図である。
【図５】図１のシステムによるコンテンツ要求の受付処理を示す図である。
【符号の説明】
１０　オンデマンドラジオシステム
１２　車両
１４　ハンズフリーセット
１６　車載テレマティクス装置
１８　カーラジオ
２０　携帯電話
２２　テレマティクスセンタ
２４　音声要求受付サーバ
２６　コンテンツ提供サーバ
２８　通信モジュール
３０　ハードディスク
３２　制御部
３４　ＦＭトランスミッタ
【図１】
2004045890.tif 000003
【図２】
2004045890.tif 000004
【図３】
2004045890.tif 000005
【図４】
2004045890.tif 000006
【図５】
2004045890.tif 000007